(57)【要約】【課題】確実に定位することができ、利用の過程中に衝突による騒音が発生せず、構造が簡単化され、組付作業が容易となる接続ロッドを提供する。【解決手段】一端に連接部が設けられ、他端が駆動段とされ、駆動段が多辺形の断面形状を有する柱である連接具と、一端が連接柱とされ、連接柱は、多辺形の断面形状を有し、その内部に枢着穴が設けられ、その他端に枢着穴と連通する駆動空間が設けられ、駆動空間が駆動段に合せ可能な多辺形穴であり、連接柱の外部には、枢着穴と連通する自在穴が設けられ、駆動空間を介して連接具の駆動段と嵌合可能である枢着具と、一端が連接具と連接し、他端が枢着穴に枢着され、その外部に回避溝が設けられる連接ロッドと、駆動空間内に設けられ、一端が枢着具の駆動空間の壁面に押付け、他端が連接具に押付けるバネと、自在穴内に設けられ、自在穴と回避溝との間に位置する係止子と、を含む。【選択図】図２
0003168110.tif 000002
【実用新案登録請求の範囲】
【請求項１】
一端に連接部が設けられ、他端が駆動段とされ、前記駆動段が多辺形の断面形状を有する柱である連接具と、
一端が連接柱とされ、前記連接柱は、多辺形の断面形状を有し、その内部に枢着穴が設けられ、その他端に前記枢着穴と連通する駆動空間が設けられ、前記駆動空間が前記駆動段に合せ可能な多辺形穴であり、前記連接柱の外部には、前記枢着穴と連通する自在穴が設けられ、前記駆動空間を介して前記連接具の前記駆動段と嵌合可能である枢着具と、
一端が前記連接具と連接し、他端が前記枢着穴に枢着され、その外部に回避溝が設けられる連接ロッドと、
前記駆動空間内に設けられ、一端が前記枢着具の前記駆動空間の壁面に押付け、他端が前記連接具に押付けるバネと、
前記自在穴内に設けられ、前記自在穴と前記回避溝との間に位置する係止子と、
を含むことを特徴とする接続ロッド。
【請求項２】
前記接続ロッドが工具ヘッドと連接し、前記工具ヘッドの一端に結合空間が設けられ、前記結合空間は、多辺形穴であり、その内周縁に係止溝が設けられ、前記工具ヘッドの他端に工具部が設けられ、前記工具部は結合空間を介して前記連接柱と嵌合し、前記係止子は、前記回避部に沈み込み、前記係止溝に狙うことを特徴とする、請求項１に記載の接続ロッド。
【請求項３】
前記接続ロッドが回転工具と連接し、前記回転工具には、多辺形の断面形状を有するロッドである結合ヘッド部が設けられ、前記連接具の連接部が多辺形の断面形状を有する穴であり、前記連接部が前記結合ヘッド部と嵌合することにより、前記接続ロッドが前記回転工具と連接することを特徴とする、請求項１に記載の接続ロッド。
【請求項４】
前記連接ロッドに回避溝が設けられ、前記回避部と止め部とが前記回避溝に設けられ、前記止め部が前記回避部よりも浅く、前記回避部が前記連接具を固定する一端に位置し、前記止め部が前記連接具を固定する一端の反対端に位置することを特徴とする、請求項１に記載の接続ロッド。
【請求項５】
前記連接具の前記駆動段の内部にねじ穴が設けられ、前記連接ロッドの一端には、前記ねじ穴と螺合するねじ段が設けられ、これにより、前記連接具に前記連接ロッドが固定されることを特徴とする、請求項１に記載の接続ロッド。
【考案の詳細な説明】
【技術分野】
【０００１】
本考案は、回転工具を延長して工具ヘッドと連接する接続ロッドに関するものである。
【背景技術】
【０００２】
従来の手動工具、又は動力に駆動される工具のヘッド部は、異なる仕様の工具ヘッドを交換できるように設計されることが一般である。工具ヘッドの操作できる距離を延長するために、接続ロッドを利用することが一般であり、すなわち、前記接続ロッドは、一端が工具ヘッド部と連結し、他端が工具ヘッドと連結する。
【０００３】
図６及び図７を参照する。従来の接続ロッドは、連接ロッドＤが連接具６０を有し、連接具６０は、一端に連接空間６０１が設けられ、他端に条状を呈する規制空間６０２が設けられ、枢着具６１は、一端に枢着空間６１１が設けられ、他端に連接柱６１２が設けられ、枢着空間６１１の側辺にホール６１３が設けられ、枢着空間６１１と連接柱６１２との間に枢着穴６１４が設けられ、自在穴６１５が枢着穴６１４から連接柱６１２の側辺に貫通し、連接具６０の規制空間６０２を有する一端が枢着空間６１１に設けられ、固定ピン６２がホール６１３と結合して規制空間６０２に挿入される。押えロッド６３は、一端に係止部６３１が設けられ、バネ６４を配した後、枢着空間６１１を経由して枢着穴６１４に枢着され、押えロッド６３には、自在穴６１５に対応する沈み溝６３２が設けられ、自在穴６１５内に係止子６５が設けられる。
【０００４】
次に、接続ロッドＤの操作を説明する。まず、工具ヘッドＢと連接柱６１２とを結合しているときには、図７及び図８に示すように、連接具６０へ枢着具６１を押えることにより、押えロッド６３が連接柱６１２へ移動し、そうすると、係止子６５が沈み溝６３２に落込んで連接柱６１２の表面よりも低くなって、工具ヘッドＢが連接柱６１２と結合できる。押え力を無くすと、バネ６４により押えロッド６３が本来の位置に戻されて、係止子６５が連接柱６１２の表面に浮き上がって工具ヘッドＢを係止する。
【０００５】
しかしながら、これは次のような欠点があった。
（１）連接具６０と枢着具６１との結合は、規制空間６０２に固定ピン６２を挿入することによるため、確実に定位することができず、利用の過程中に衝突による騒音が発生する。
【０００６】
（２）接続ロッドＤは、連接具６０と、枢着具６１と、押えロッド６３と、バネ６４と、係止子６５と、を含む他、連接具６０と枢着具６１とを規制するために、固定ピン６２を使用することが必要であるため、構造が複雑であり、且つ固定ピン６２の設置と規制空間６０２の定位とが容易ではないため、組付け作業の困難度が増加する。
【考案の概要】
【考案が解決しようとする課題】
【０００７】
本考案の主な目的は、確実に定位することができ、利用の過程中に衝突による騒音が発生せず、構造が簡単化され、組付け作業が容易となる接続ロッドを提供することにある。
【課題を解決するための手段】
【０００８】
本考案の接続ロッドによると、一端に連接部が設けられ、他端が駆動段とされ、前記駆動段が多辺形の断面形状を有する柱である連接具と、一端が連接柱とされ、前記連接柱は、多辺形の断面形状を有し、その内部に枢着穴が設けられ、その他端に前記枢着穴と連通する駆動空間が設けられ、前記駆動空間が前記駆動段に合せ可能な多辺形穴であり、前記連接柱の外部には、前記枢着穴と連通する自在穴が設けられ、前記駆動空間を介して前記連接具の前記駆動段と嵌合可能である枢着具と、一端が前記連接具と連接し、他端が前記枢着穴に枢着され、その外部に回避溝が設けられる連接ロッドと、前記駆動空間内に設けられ、一端が前記枢着具の前記駆動空間の壁面に押付け、他端が前記連接具に押付けるバネと、前記自在穴内に設けられ、前記自在穴と前記回避溝との間に位置する係止子と、を含むことを特徴とする。
【０００９】
本考案の接続ロッドによると、前記接続ロッドが工具ヘッドと連接し、前記工具ヘッドの一端に結合空間が設けられ、前記結合空間は、多辺形穴であり、その内周縁に係止溝が設けられ、前記工具ヘッドの他端に工具部が設けられ、前記工具部は結合空間を介して前記連接柱と嵌合し、前記係止子は、前記回避部に沈み込み、前記係止溝に狙うことを特徴とする。
【００１０】
本考案の接続ロッドによると、前記接続ロッドが回転工具と連接し、前記回転工具には、多辺形の断面形状を有するロッドである結合ヘッド部が設けられ、前記連接具の連接部が多辺形の断面形状を有する穴であり、前記連接部が前記結合ヘッド部と嵌合することにより、前記接続ロッドが前記回転工具と連接することを特徴とする。
【００１１】
本考案の接続ロッドによると、前記連接ロッドに回避溝が設けられ、前記回避部と止め部とが前記回避溝に設けられ、前記止め部が前記回避部よりも浅く、前記回避部が前記連接具を固定する一端に位置し、前記止め部が前記連接具を固定する一端の反対端に位置することを特徴とする。
【００１２】
本考案の接続ロッドによると、前記連接具の前記駆動段の内部にねじ穴が設けられ、前記連接ロッドの一端には、前記ねじ穴と螺合するねじ段が設けられ、これにより、前記連接具に前記連接ロッドが固定されることを特徴とする。
【考案の効果】
【００１３】
本考案の接続ロッドによれば、次のような効果がある。
（１）部品の点数が少なく、作製コストを減少でき、組付け作業が容易となる。
【００１４】
（２）各構造の組合が安定となり、利用の過程中に衝突による騒音が発生せず、操作がもっとスムーズとなる。
【図面の簡単な説明】
【００１５】
【図１】本考案の一実施例の分解斜視図である。
【図２】本考案の一実施例の組合済み状態の断面図である。
【図３】本考案の一実施例を工具ヘッドに嵌合する前の状態を示す断面図である。
【図４】本考案の一実施例を工具ヘッドに嵌合している状態を示す断面図である。
【図５】本考案の一実施例を工具ヘッドに嵌合した状態を示す断面図である。
【図６】従来のものの分解斜視図である。
【図７】従来のものの組合済み状態の断面図である。
【図８】従来のものの動作を示す断面図である。
【考案を実施するための最良の形態】
【００１６】
以下、本考案の実施の形態を図面に基づいて説明する。
まず、図１及び図２を参照する。接続ロッドＡは、工具ヘッドＢと回転工具Ｃとを連接する。接続ロッドＡは、連接具１０と、枢着具２０と、連接ロッド３０と、バネ４０と、係止子５０と、を含む。
【００１７】
連接具１０は、一端に連接部１１が設けられ、他端が駆動段１２とされ、連接部１１が多辺形の断面形状を有する穴であり、駆動段１２が多辺形の断面形状を有する柱である。連接具１０の駆動段１２の内部にねじ穴１３が設けられる。
【００１８】
枢着具２０は、一端が連接柱２１とされ、連接柱２１は、多辺形の断面形状を有し、その内部に枢着穴２２が設けられる。枢着具２０の他端に枢着穴２２と連通する駆動空間２３が設けられる。駆動空間２３は駆動段１２に合せ可能な多辺形穴である。連接柱２１の外部には、枢着穴２２と連通する自在穴２４が設けられる。枢着具２０は、駆動空間２３を介して連接具１０の駆動段１２と嵌合可能である。自在穴２４の外側にある開口の直径が係止子５０の直径よりも小さいため、係止子５０は自在穴２４から外部に脱出することができない。
【００１９】
連接ロッド３０は、一端にねじ穴１３と螺合するねじ段３１が設けられ、これにより、連接具１０に連接ロッド３０が固定される。連接ロッド３０は、他端が枢着穴２２に枢着され、その外部に回避溝３２が設けられる。回避溝３２の内部には、回避部３２１と、止め部３２２と、が設けられる。止め部３２２は回避部３２１よりも浅く、回避部３２１が連接具１０を固定する一端に位置し、止め部３２２が連接具１０を固定する一端の反対端に位置する。
【００２０】
バネ４０は、駆動空間２３内に設けられ、一端が枢着具２０の駆動空間２３の壁面に押付け、他端が連接具１０に押付ける。
【００２１】
係止子５０は、自在穴２４内に設けられ、自在穴２４と回避溝３２との間に位置する。
【００２２】
図３を参照する。工具ヘッドＢの一端に結合空間Ｂ１が設けられる。結合空間Ｂ１は、多辺形の断面形状を有する穴であり、その内周縁に係止溝Ｂ２が設けられる。工具ヘッドＢの他端に工具部Ｂ３が設けられる。工具ヘッドＢの結合空間Ｂ１に連接柱２１を嵌合することができる。係止子５０は、回避部３２１に沈み込み、係止溝Ｂ２に狙う。
【００２３】
回転工具Ｃには、多辺形の断面形状を有する柱である結合ヘッド部Ｃ１が設けられる。連接部１１に結合ヘッド部Ｃ１を嵌合することにより、接続ロッドＡが回転工具Ｃと連接するようになる。
【００２４】
接続ロッドＡの結合の平常時の状態は、連接ロッド３０に連接具１０が固定され、バネ４０の弾力により枢着具２０が連接具１０から押出され、係止子５０が連接柱２１の表面から外部に露呈する。
【００２５】
枢着具２０に工具ヘッドＢを嵌合したい場合には、図３に示すように、連接柱２１に工具ヘッドＢの結合空間Ｂ１を一部的に結合して、連接柱２１の表面から外部に露呈する係止子５０に結合空間Ｂ１を接触するときに、結合空間Ｂ１が係止子５０と枢着具２０とに押え力を加えて、枢着具２０が連接ロッド３０を摺動し、係止子５０が止め部３２２からより深い回避部３２１に沈み込み、図４に示すように、係止子５０が連接柱２１の表面に進入することにより、結合空間Ｂ１が連接柱２１と結合するようになる。このとき、連接ロッド３０と連接具１０とに対して枢着具２０が持続に移動してバネ４０を圧縮し、これにより、枢着具２０と連接具１０との間に弾力による押え力が発生する。結合空間Ｂ１が連接柱２１と結合し、且つ係止子５０が係止溝Ｂ２に合せるときには、図５に示すように、バネ４０の弾力により、枢着具２０が連接具１０の軸方向に沿って外側へ移動して連接ロッド３０を摺動し、そうすると、係止子５０は、回避溝３２の止め部３２２に沿って連接柱２１の表面に戻って、結合空間Ｂ１の係止溝Ｂ２内に位置する。
【産業上の利用可能性】
【００２６】
本考案は、工具に適用することができる。
【符号の説明】
【００２７】
１０：連接具、１１：連接部、１２：駆動段、１３：ねじ穴、２０：枢着具、２１：連接柱、２２：枢着穴、２３：駆動空間、２４：自在穴、３０：連接ロッド、３１：ねじ段、３２：回避溝、４０：バネ、５０：係止子、６０：連接具、６１：枢着具、６２：固定ピン、６３：押えロッド、６４：バネ、６５：係止子、３２１：回避部、３２２：止め部、６０１：連接空間、６０２：規制空間、６１１：枢着空間、６１２：連接柱、６１３：ホール、６１４：枢着穴、６１５：自在穴、６３１：係止部、６３２：沈み溝、Ａ：連接ロッド、Ｂ：工具ヘッド、Ｂ１：結合空間、Ｂ２：係止溝、Ｂ３：工具部、Ｃ：回転工具、Ｃ１：結合ヘッド部、Ｄ：連接ロッド
【図１】
0003168110.tif 000003
【図２】
0003168110.tif 000004
【図３】
0003168110.tif 000005
【図４】
0003168110.tif 000006
【図５】
0003168110.tif 000007
【図６】
0003168110.tif 000008
【図７】
0003168110.tif 000009
【図８】
0003168110.tif 000010